(57)【要約】  Ｄ２Ｄ通信をサポートする無線通信システムにおけるユーザ装置であって、Ｄ２Ｄ用物理制御チャネルとＤ２Ｄ用物理データチャネルとが周波数多重された無線フレーム構成におけるＤ２Ｄ用物理制御チャネルを用いて、Ｄ２Ｄ用制御情報を送信する第一の送信部と、Ｄ２Ｄ用物理制御チャネルとＤ２Ｄ用物理データチャネルとが周波数領域で多重された無線フレーム構成におけるＤ２Ｄ用物理データチャネルを用いて、前記Ｄ２Ｄ用制御情報に対応するデータを送信する第二の送信部と、を有するユーザ装置を提供する。
2017026511.tif 000002
【特許請求の範囲】
【請求項１】
Ｄ２Ｄ通信をサポートする無線通信システムにおけるユーザ装置であって、
Ｄ２Ｄ用物理制御チャネルとＤ２Ｄ用物理データチャネルとが周波数多重された無線フレーム構成におけるＤ２Ｄ用物理制御チャネルを用いて、Ｄ２Ｄ用制御情報を送信する第一の送信部と、
Ｄ２Ｄ用物理制御チャネルとＤ２Ｄ用物理データチャネルとが周波数領域で多重された無線フレーム構成におけるＤ２Ｄ用物理データチャネルを用いて、前記Ｄ２Ｄ用制御情報に対応するデータを送信する第二の送信部と、
を有するユーザ装置。
【請求項２】
前記第二の送信部は、前記Ｄ２Ｄ用制御情報が送信されたサブフレームに対応する予め定められたサブフレームで前記データを送信する、請求項１に記載のユーザ装置。
【請求項３】
Ｄ２Ｄ通信をサポートする無線通信システムにおけるユーザ装置であって、
Ｄ２Ｄ用物理制御チャネルとＤ２Ｄ用物理データチャネルとが順に時間多重されたサブフレームにおけるＤ２Ｄ用物理制御チャネルを用いて、Ｄ２Ｄ用制御情報を送信する第一の送信部と、
前記サブフレームにおけるＤ２Ｄ用物理データチャネル又は前記サブフレームとは異なるサブフレームにおけるＤ２Ｄ用物理データチャネルを用いて、前記Ｄ２Ｄ用制御情報に対応するデータを送信する第二の送信部と、
を有するユーザ装置。
【請求項４】
前記第一の送信部は、Ｄ２Ｄ用物理制御チャネルに該当する連続した複数のシンボルのうち、中心のシンボルに参照信号をマッピングし、前記連続した複数のシンボルのうち参照信号がマッピングされたシンボル以外のシンボルに前記Ｄ２Ｄ用制御情報をマッピングして送信する、請求項３に記載のユーザ装置。
【請求項５】
前記第二の送信部は、Ｄ２Ｄ用物理制御チャネル又はＤ２Ｄ用物理データチャネルに割当てられている無線リソースのうち、データ長が予め定められた優先度の高いデータの送信に用いられる特定の無線リソースを用いてデータを送信する、請求項１乃至４のいずれか一項に記載のユーザ装置。
【請求項６】
前記Ｄ２Ｄ用制御情報は、Ｄ２Ｄ用物理データチャネルに割当てられている無線リソースにおいて前記データがマッピングされているサブフレーム区間を指定する情報を含む、請求項１乃至５のいずれか一項に記載のユーザ装置。
【請求項７】
前記第二の送信部は、前記Ｄ２Ｄ用制御情報が送信されたサブキャリアに対応づけられるサブキャリアで前記データを送信する、請求項１乃至６のいずれか一項に記載のユーザ装置。
【請求項８】
前記第一の送信部は、Ｄ２Ｄ用物理制御チャネルに割当てられている無線リソースの範囲に応じて、第一のＤ２Ｄ用制御情報フォーマットを用いて前記Ｄ２Ｄ用制御情報を送信するのか、又は前記第一のＤ２Ｄ用制御情報フォーマットとは異なる第二のＤ２Ｄ用制御情報フォーマットを用いて前記Ｄ２Ｄ用制御情報を送信するのかを判断する、請求項１乃至７のいずれか一項に記載のユーザ装置。
【請求項９】
Ｄ２Ｄ通信をサポートする無線通信システムにおけるユーザ装置が行う信号送信方法であって、
Ｄ２Ｄ用物理制御チャネルとＤ２Ｄ用物理データチャネルとが周波数多重された無線フレーム構成におけるＤ２Ｄ用物理制御チャネルを用いて、Ｄ２Ｄ用制御情報を送信するステップと、
Ｄ２Ｄ用物理制御チャネルとＤ２Ｄ用物理データチャネルとが周波数領域で多重された無線フレーム構成におけるＤ２Ｄ用物理データチャネルを用いて、前記Ｄ２Ｄ用制御情報に対応するデータを送信するステップと、
を有する信号送信方法。
【請求項１０】
Ｄ２Ｄ通信をサポートする無線通信システムにおけるユーザ装置が行う信号送信方法であって、
Ｄ２Ｄ用物理制御チャネルとＤ２Ｄ用物理データチャネルとが順に時間多重されたサブフレームにおけるＤ２Ｄ用物理制御チャネルを用いて、Ｄ２Ｄ用制御情報を送信するステップと、
前記サブフレームにおけるＤ２Ｄ用物理データチャネル又は前記サブフレームとは異なるサブフレームにおけるＤ２Ｄ用物理データチャネルを用いて、前記Ｄ２Ｄ用制御情報に対応するデータを送信するステップと、
を有する信号送信方法。
【発明の詳細な説明】
【技術分野】
【０００１】
本発明は、ユーザ装置及び信号送信方法に関する。
【背景技術】
【０００２】
ＬＴＥ（Long Term Evolution）及びＬＴＥの後継システム（例えば、ＬＴＥ−Ａ（LTE Advanced）、ＦＲＡ（Future Radio Access）、４Ｇなどともいう）では、ユーザ端末同士が無線基地局を介さないで直接通信を行うＤ２Ｄ（Device to Device）技術が検討されている（例えば、非特許文献１）。【０００３】
Ｄ２Ｄは、ユーザ装置と基地局との間のトラヒックを軽減したり、災害時などに基地局が通信不能になった場合でもユーザ装置間の通信を可能とする。【０００４】
Ｄ２Ｄは、通信可能な他のユーザ端末を見つけ出すためのＤ２Ｄディスカバリ（D2D discovery、Ｄ２Ｄ発見ともいう）と、端末間で直接通信するためのＤ２Ｄコミュニケーション（D2D direct communication、Ｄ２Ｄ通信、端末間直接通信などともいう）と、に大別される。以下では、Ｄ２Ｄコミュニケーション、Ｄ２Ｄディスカバリなどを特に区別しないときは、単にＤ２Ｄと呼ぶ。また、Ｄ２Ｄで送受信される信号を、Ｄ２Ｄ信号と呼ぶ。【０００５】
また、３ＧＰＰ（3rd Generation Partnership Project）では、Ｄ２Ｄ機能を拡張することでＶ２Ｘを実現することが検討されている。ここで、Ｖ２Ｘとは、ＩＴＳ（Intelligent Transport Systems）の一部であり、図１に示すように、自動車と自動車との間で行われる通信形態を意味するＶ２Ｖ（Vehicle to Vehicle）、自動車と道路脇に設置される路側機（ＲＳＵ：Road-Side Unit）との間で行われる通信形態を意味するＶ２Ｉ（Vehicle to Infrastructure：路車間通信）、自動車とドライバーのモバイル端末との間で行われる通信形態を意味するＶ２Ｎ（Vehicle to Nomadic device：端車間通信）、及び、自動車と歩行者のモバイル端末との間で行われる通信形態を意味するＶ２Ｐ（Vehicle to Pedestrian：歩行者間通信）の総称である。
【先行技術文献】
【非特許文献】
【０００６】
【非特許文献１】"Key drivers for LTE success:Services Evolution"、２０１１年９月、3GPP、インターネットURL：http://www.3gpp.org/ftp/Information/presentations/presentations_2011/2011_09_LTE_Asia/2011_LTE-Asia_3GPP_Service_evolution.pdf
【発明の概要】
【発明が解決しようとする課題】
【０００７】
図２は、従来のＤ２Ｄにおける無線フレーム構成及び無線リソース割当て方法を説明するための図である。ＰＳＣＣＨ（Physical Sidelink Control Channel）及びＰＳＳＣＨ（Physical Sidelink Shared Channel）は、前述した「Ｄ２Ｄコミュニケーション」を実現するための物理チャネルであり、例えばユーザ装置間で行われるＶｏＩＰ通信等のデータ通信に用いられることが想定されている。図１に示すように、Ｄ２Ｄでは、上りリンクの全体リソースのうち、ＰＵＣＣＨが割り当てられているリソースの内側にＰＳＣＣＨ及びＰＳＳＣＨのリソースプールが上下に分割されて割り当てられる。ＰＳＣＣＨ及びＰＳＳＣＨのリソースプールは、時間軸方向に４０ｍｓ以上の周期で周期的に割り当てられ、同一データ（ＳＣＩ（Sidelink Control Information）／ＭＡＣ  ＰＤＵ（Media Access Control Packet Data Unit））を繰り返し送信するＲｅｐｅｔｉｔｉｏｎ送信、時間／周波数ホッピングによる送信が適用される。また、ＰＳＳＣＨでは、ＶｏＩＰに用いられるような複数のＭＡＣ  ＰＤＵを連続して送信可能にするため、比較的短い間隔で周期的に連続して無線リソースが割り当てられる。具体的には、１つのＳＣＩで、図２においてＭＡＣ  ＰＤＵが示されている場所の全ての無線リソースが割り当てられる。【０００８】
ここで、Ｖ２Ｘでは、ＰＳＣＣＨ及びＰＳＳＣＨを用いて５０〜１５０ｂｙｔｅ程度のスモールパケットの送受信が行われることが想定されている。更に、これらのスモールパケットが、１００ｍｓ〜１秒程度といった比較的長い間隔で周期的に送信される場合と、イベントトリガにより送信される場合とが想定されている。また、Ｖ２Ｘでは、重要通信（例えば、事故防止、渋滞回避等のための通信）が行われることから、更なる低遅延化の実現が要求されている。【０００９】
しかしながら、現状のＤ２Ｄ通信で用いられるＰＳＣＣＨ及びＰＳＳＣＨでは、元々ＶｏＩＰ通信等に用いられることを想定しているため、ＰＳＳＣＨの無線リソースが短い間隔で周期的に連続して割り当てられるように設計されている。従って、Ｖ２Ｘのように頻繁に送信されることがないようなパケットの送信に適用した場合、無駄に無線リソースが割り当てられてしまうという問題がある。【００１０】
また、現状のＤ２Ｄ通信で用いられるＰＳＣＣＨ及びＰＳＳＣＨでは、ＰＳＣＣＨのリソースプールとＰＳＳＣＨのリソースプールとが比較的長い周期（４０ｍｓ以上）になるように規定されており、ＳＣＩが送信されてから実際にＰＳＳＣＨでデータが送信されるまでの遅延が大きい。【００１１】
一方、４０ｍｓ以上に設定することが規定されているＰＳＣＣＨ周期を更に短くすることで、無駄に無線リソースが割り当てられるのを防止しつつ遅延を短くすることも考えられる。しかしながら、現状のＳＣＩフォーマットは比較的大きなデータサイズであるため、現状のＳＣＩフォーマットのまま送信回数が増えてしまうのは効率的とは言えない。【００１２】
開示の技術は上記に鑑みてなされたものであって、Ｄ２Ｄ通信において、スモールパケットを効率的かつ低遅延に送受信可能な技術を提供することを目的とする。
【課題を解決するための手段】
【００１３】
開示の技術のユーザ装置は、Ｄ２Ｄ通信をサポートする無線通信システムにおけるユーザ装置であって、Ｄ２Ｄ用物理制御チャネルとＤ２Ｄ用物理データチャネルとが周波数多重された無線フレーム構成におけるＤ２Ｄ用物理制御チャネルを用いて、Ｄ２Ｄ用制御情報を送信する第一の送信部と、Ｄ２Ｄ用物理制御チャネルとＤ２Ｄ用物理データチャネルとが周波数領域で多重された無線フレーム構成におけるＤ２Ｄ用物理データチャネルを用いて、前記Ｄ２Ｄ用制御情報に対応するデータを送信する第二の送信部と、を有する。【００１４】
また、開示の技術のユーザ装置は、Ｄ２Ｄ通信をサポートする無線通信システムにおけるユーザ装置であって、Ｄ２Ｄ用物理制御チャネルとＤ２Ｄ用物理データチャネルとが順に時間多重されたサブフレームにおけるＤ２Ｄ用物理制御チャネルを用いて、Ｄ２Ｄ用制御情報を送信する第一の送信部と、前記サブフレームにおけるＤ２Ｄ用物理データチャネル又は前記サブフレームとは異なるサブフレームにおけるＤ２Ｄ用物理データチャネルを用いて、前記Ｄ２Ｄ用制御情報に対応するデータを送信する第二の送信部と、を有する。
【発明の効果】
【００１５】
開示の技術によれば、Ｄ２Ｄ通信において、スモールパケットを効率的かつ低遅延に送受信可能な技術が提供される。
【図面の簡単な説明】
【００１６】
【図１】Ｖ２Ｘを説明するための図である。
【図２】従来のＤ２Ｄにおける無線フレーム構成及び無線リソース割当て方法を説明するための図である。
【図３】実施の形態に係る無線通信システムの構成例を示す図である。
【図４】実施の形態における無線フレーム構成（その１）を示す図である。
【図５Ａ】ＳＣＩとデータとの対応づけを説明するための図である。
【図５Ｂ】ＳＣＩとデータとの対応づけを説明するための図である。
【図６】サブフレーム内におけるＳＣＩのマッピング方法の一例を示す図である。
【図７Ａ】実施の形態における無線フレーム構成（その２）を示す図である。
【図７Ｂ】実施の形態における無線フレーム構成（その２）を示す図である。
【図８Ａ】１サブフレーム内におけるＳＣＩ、データ及び参照信号の配置構成の一例を示す図である。
【図８Ｂ】１サブフレーム内におけるＳＣＩ、データ及び参照信号の配置構成の一例を示す図である。
【図９】データを送信可能な時間区間を説明するための図である。
【図１０Ａ】仮想リソースプールの一例を示す図である。
【図１０Ｂ】仮想リソースプールの一例を示す図である。
【図１１】実施の形態に係るユーザ装置の機能構成の一例を示す図である。
【図１２】実施の形態に係るユーザ装置のハードウェア構成の一例を示す図である。
【発明を実施するための形態】
【００１７】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る無線通信システムはＬＴＥに準拠した方式のシステムを想定しているが、本発明はＬＴＥに限定されるわけではなく、他の方式にも適用可能である。なお、本明細書及び特許請求の範囲において、「ＬＴＥ」は、３ＧＰＰのリリース８、又は９に対応する通信方式のみならず、３ＧＰＰのリリース１０、１１、１２、１３、又はリリース１４以降に対応する第５世代の通信方式も含む広い意味で使用する。
【００１８】
＜＜システム構成＞＞
図３に示すように、本実施の形態における無線通信システムは、基地局ｅＮＢと、Ｄ２Ｄ信号を送信する送信側のユーザ装置ＵＥａと、Ｄ２Ｄ信号を受信する受信側のユーザ装置ＵＥｂとを有する。基地局ｅＮＢは、例えばマクロセルの報知情報（システム情報：ＳＩＢ）又はＲＲＣ（Radio Resource Control）等を用いて、Ｄ２Ｄ信号の送受信の為に用いられるリソースプールの割り当て等を行う。なお、以下の説明において、送信側のユーザ装置ＵＥａと受信側のユーザ装置ＵＥｂとを、まとめて「ユーザ装置ＵＥ」と呼ぶ。
【００１９】
本実施の形態において、ユーザ装置ＵＥは、Ｖ２Ｘで規定されている自動車、ドライバーのモバイル端末、及び、歩行者のモバイル端末を含む。また、Ｖ２Ｘで規定されるＲＳＵは、特に断りがない限り、本実施の形態におけるユーザ装置ＵＥであってもよいし、基地局ｅＮＢであってもよい。
【００２０】
本実施の形態では、従来のＤ２Ｄで用いられる無線フレーム構成（図１）とは異なり、より低遅延な通信を実現可能な無線フレーム構成を用いてＤ２Ｄ通信を行うようにする。
また、本実施の形態では、従来のＤ２Ｄのように短い周期で多くの無線リソースを割当てるのではなく、比較的長い間隔及びイベントトリガによりデータが送信される場合に適した無線リソースの割当てを行うようにする。また、本実施の形態では、ＳＣＩに含まれる制御情報の一部を省略することで、従来のＤ２Ｄよりも少ないデータサイズのＳＣＩを用いた通信を可能にする。これにより、従来のＤ２Ｄと比較して、スモールパケットを効率的かつ低遅延に送受信することを可能にする。
【００２１】
＜＜無線フレーム構成＞＞
まず、本実施の形態で用いられる無線フレーム構成について説明する。なお、以下の説明において、ＳＣＩに対応するデータとは、従来のＤ２Ｄと同様に、ＳＣＩに含まれる制御情報（無線リソースの割当てに関する情報を含む）で指定された無線リソースで送信されるデータを意味する。また、以下の説明において「データ」とは、特に断りがない限りＭＡＣ  ＰＤＵを意味する。
【００２２】
＜ＰＳＣＣＨとＰＳＳＣＨとを周波数多重する構成＞
図４は、実施の形態における無線フレーム構成（その１）を示す図である。図４に示すように、本実施の形態では、ユーザ装置ＵＥは、ＰＳＣＣＨとＰＳＳＣＨとが周波数多重された無線フレーム構成を用いてＤ２Ｄ通信を行うようにしてもよい。無線フレーム構成（その１）を用いることで、ユーザ装置ＵＥは、各サブフレームの各々にＳＣＩ及びデータをマッピングすることができる。つまり、送信側のユーザ装置ＵＥａは、あるサブフレームで送信されたＳＣＩに対応するデータを、当該サブフレーム以降のサブフレームにマッピングして送信することができる。これにより、受信側のユーザ装置ＵＥｂは、ＳＣＩを受信したサブフレーム以降のサブフレームでデータを取得することができるため、遅延が大幅に短縮されることになる。
【００２３】
変形例として、ＰＳＣＣＨとＰＳＳＣＨを周波数多重せず、共通またはオーバーラップしたリソースプールとして、ＳＣＩ・データそれぞれを送信可能な周波数リソースを拡大してもよい。この時、ＳＣＩのブラインド検出精度を向上させるためＳＣＩ送信サブフレームの先頭に参照信号及び／又は同期信号のシンボルを多重してもよい。参照信号及び／又は同期信号が多重される周波数リソースはＳＣＩの周波数リソースと同一でもよいし、ＳＣＩの周波数リソースとは独立の定められた周波数リソース（例えば中心６ＰＲＢなど）でもよい。周波数リソースを限定することでＳＣＩ有無の検出が容易になる。
【００２４】
（ＳＣＩとデータとの対応について）
図５Ａ及びＢは、ＳＣＩとデータとの対応づけを説明するための図である。無線フレーム構成（その１）が用いられる場合において、従来のＤ２Ｄと同様に、同一のＳＣＩと同一のデータとがそれぞれ予め定められたホッピングパターンに従って繰り返し送信（Ｒｅｐｅｔｉｔｉｏｎ送信）されるようにしてもよい。例えば図５Ａに示すように、同一のＳＣＩ（図５ＡのＳＣＩ「１」及び「２」）が繰り返し送信され、当該ＳＣＩに対応するデータについても、同一のデータ（図５ＡのＤａｔａ「１」及び「２」）が繰り返し送信されるようにしてもよい。これにより、従来のＤ２Ｄと異なり、ＳＣＩの送信と、当該ＳＣＩに対応するデータの送信とが並行して行われることになるため、遅延が大幅に短縮されることになる。
【００２５】
また、他の例として、データのみが繰り返し送信されるようにして、ＳＣＩは各データの各々と１対１に対応づけられるようにしてもよい。例えば、図５Ｂに示すように、同一のデータ（図５ＢのＤａｔａ「１」及び「２」）が繰り返し送信され、ＳＣＩ「１」はＤａｔａ「１」に対応づけられ、ＳＣＩ「２」はＤａｔａ「２」に対応づけられるようにしてもよい。図５Ｂの場合、ＳＣＩ「１」の内容とＳＣＩ「２」の内容は異なるため、受信側のユーザ装置ＵＥｂは、Ｄａｔａ「１」及び「２」を取得するためにはＳＣＩ「１」及びＳＣＩ「２」の両方を取得する必要があるが、データの繰り返しに関する無線リソースの割当て情報が不要になるため、各ＳＣＩの各々に含まれる制御情報のデータサイズを削減することができる。また、図５Ａと同様にＳＣＩの送信と、当該ＳＣＩに対応するデータの送信とが並行して行われることになるため、遅延が大幅に短縮されることになる。
【００２６】
（ＳＣＩのマッピングについて）
図６は、サブフレーム内におけるＳＣＩのマッピング方法の一例を示す図である。従来のＤ２Ｄでは、１サブフレーム及び１ＰＲＢ（Physical Resource Block）の無線リソース内にＳＣＩが１つマッピングされるように規定されていたが、本実施の形態では、１サブフレーム及び１ＰＲＢの無線リソース内に複数のＳＣＩがマッピングされるようにしてもよい。例えば、図６に示すように１スロット及び１ＰＲＢの無線リソースごとにＳＣＩが１つずつマッピングされるようにしてもよい。また、送信可能なＳＣＩのデータサイズを確保するため、図６の周波数方向は、複数のＰＲＢ（例えば、２ＰＲＢなど）であってもよい。これにより、受信側のユーザ装置ＵＥｂは、仮に片方のＳＣＩを受信することができない場合、もう一方のＳＣＩを受信することができればＳＣＩに対応するデータを取得することができ、通信の信頼性を高めることが可能になる。
【００２７】
＜ＰＳＣＣＨとＰＳＳＣＨとを時間多重する構成＞
図７Ａ及びＢは、実施の形態における無線フレーム構成（その２）を示す図である。図７Ａ及びＢに示すように、本実施の形態では、ユーザ装置ＵＥは、ＰＳＣＣＨとＰＳＳＣＨとが１サブフレーム内に時間多重された無線フレーム構成を用いてＤ２Ｄ通信を行うようにしてもよい。
【００２８】
例えば、図７Ａに示すように、所定のサブフレームにはＰＳＣＣＨとＰＳＳＣＨとが時間多重されて割り当てられ、それ以後の１以上のサブフレームにはＰＳＳＣＨのみが割当てられるようにしてもよい。また、図７Ｂに示すように、１サブフレームごとに、ＰＳＣＣＨとＰＳＳＣＨとが時間多重されて割り当てられるようにしてもよい。なお、１サブフレーム内において、ＰＳＣＣＨが割当てられるシンボル数とＰＳＳＣＨが割当てられるシンボル数に特に制限はない。また、送信可能なＳＣＩのデータサイズを確保するため、図７Ａ及びＢの周波数方向は、複数のＰＲＢ（例えば、６ＰＲＢなど）であってもよい。
【００２９】
無線フレーム構成（その２）を用いることで、ユーザ装置ＵＥは、１サブフレームにＳＣＩ及びデータをマッピングすることができる。つまり、送信側のユーザ装置ＵＥａは、あるサブフレームで送信されたＳＣＩに対応するデータを、当該サブフレームと同一又はそれ以降のサブフレームにマッピングして送信することができる。これにより、受信側のユーザ装置ＵＥｂは、ＳＣＩを受信したサブフレームと同一又はそれ以降のサブフレームでデータを取得することができるため、遅延が大幅に短縮されることになる。
【００３０】
（ＳＣＩ、データ及び参照信号のマッピングについて）
図８Ａ及びＢは、１サブフレーム内におけるＳＣＩ、データ及び参照信号の配置構成の一例を示す図である。ユーザ装置ＵＥａは、ＰＳＣＣＨとＰＳＳＣＨとが１サブフレーム内に時間多重された無線フレーム構成を用いてＤ２Ｄ通信を行う際、１サブフレーム内にＳＣＩ、データ及びＤＭ−ＲＳ（Demodulation Reference Signal）をマッピングして送信するようにしてもよい。ＳＣＩ、データ及びＤＭ−ＲＳの送信帯域は同一でもよいし、異なっていてもよい。例えば、図８Ａに示すように、送信側のユーザ装置ＵＥａは、ＳＣＩとデータとをそれぞれ異なる送信帯域で送信すると共に、従来のＤ２Ｄと同様のシンボルでＤＭ−ＲＳを送信するようにしてもよい。また、受信側のユーザ装置ＵＥｂは、ＤＭ−ＲＳを、ＳＣＩ及びデータを復号する際のチャネル推定において共通に用いるようにしてもよい。ユーザ装置ＵＥｂは、ＳＣＩ及びデータを復号する際に、従来と同様のチャネル推定精度によりチャネル推定を行うことができる。
【００３１】
また、図８Ｂに示すように、送信側のユーザ装置ＵＥａは、更に、ＳＣＩの送信帯域と同一の送信帯域でＤＭ−ＲＳを送信するようにしてもよい。受信側のユーザ装置ＵＥｂは、ＳＣＩがマッピングされているシンボルにおけるチャネル推定精度を改善することが可能になる。
【００３２】
なお、サブフレームの先頭にＡＧＣ（Automatic Gain Control）及び／又は同期精度改善のために、参照信号及び／又は同期信号のシンボルを時間多重してもよい。参照信号及び／又は同期信号が多重される周波数リソースはＳＣＩの周波数リソースと同一でもよいし、ＳＣＩの周波数リソースとは独立の定められた周波数リソース（例えば中心６ＰＲＢなど）でもよい。周波数リソースを限定することでＳＣＩ有無の検出が容易になる。
【００３３】
＜＜ＳＣＩの構成＞＞
次に、本実施の形態で用いられるＳＣＩの構成について説明する。前述のように、本実施の形態では、従来のＤ２Ｄのように短い周期で多くの無線リソースを割当てるのではなく、比較的長い間隔及びイベントトリガによりデータが送信される場合に適した無線リソースの割当てを行うようにするため、ＳＣＩで、データを送信可能な時間区間（サブフレーム区間）を指定可能にする。また、本実施の形態では、ＳＣＩに含まれる制御情報の一部を省略等することで、従来のＤ２Ｄよりも少ないデータサイズのＳＣＩを用いた通信を可能にする。
【００３４】
（データを送信可能な時間区間について）
従来のＤ２Ｄでは、図２に示すように、１つのＳＣＩで、ＭＡＣ  ＰＤＵが示されている場所の全ての無線リソースが割り当てられていた。そこで、本実施の形態では、ユーザ装置ＵＥは、ＳＣＩに、ＰＳＳＣＨのリソースプールにおいてデータがマッピングされている時間区間（サブフレーム区間）を指定する情報を含めるようにしてもよい。なお、ＰＳＳＣＨのリソースプールにおいてデータがマッピングされている時間区間（サブフレーム区間）とは、例えば、図９の「Ａ」に示す区間のように、ＰＳＳＣＨのリソースプールにおける時間軸上の任意のサブフレーム区間を意味している。
【００３５】
データがマッピングされている時間区間（サブフレーム区間）は、データがマッピングされているリソースの開始地点及び終了地点を、ＳＦＮ（System Frame Number）又はＤＦＮ（Direct Frame Number）を用いて指定されるようにしてもよいし、ＳＦＮ（又はＤＦＮ）及びサブフレーム番号を用いて指定されるようにしてもよい。また、終了地点は、開始地点からのサブフレーム数で表現されてもよいし、ＭＡＣ  ＰＤＵ数で表現されてもよい。また、開始地点及び終了地点は、データがマッピングされている無線リソースのサブフレームパターンを示す情報（Ｔ−ＲＰＴ（Time Resource Pattern）と組み合わされて指定されてもよい。
【００３６】
（ＳＣＩのデータサイズについて）
実施の形態では、ＳＣＩに含まれるＴＡ値（Timing Advanced indication）を省略し、ＳＣＩを含まないＳＣＩフォーマットを新たに規定するようにしてもよい。ＴＡ値は、Ｄ２Ｄ通信とユーザ装置ＵＥから基地局ｅＮＢ向けのＵＬ（Uplink）通信とでシンボル間の干渉を抑制するために用いられる情報であり、送信側のユーザ装置ＵＥａが受信側のユーザ装置ＵＥｂにＰＳＳＣＨの受信タイミングを通知するために用いられる。従って、Ｄ２Ｄ通信専用のキャリアを用いてＤ２Ｄ通信を行う場合など、Ｄ２Ｄ通信とユーザ装置ＵＥから基地局ｅＮＢ向けのＵＬ通信とを同一の無線リソースで共用しない場合は、ＴＡ値の通知は不要になる。また、仮に、Ｄ２Ｄ通信とユーザ装置ＵＥから基地局ｅＮＢ向けのＵＬ通信とを同一の無線リソースで共用する場合であっても、シンボル間の干渉を許容するのであれば、ＴＡ値の通知は不要になる。なお、ＳＣＩに含まれるＴＡ値を省略する場合、ＴＡ値は０とみなされるようにしてもよいし、予め定められた固定値とみなされるようにしてもよい。これにより、ＳＣＩのデータサイズを削減することが可能になる。
【００３７】
また、実施の形態では、ＳＣＩが送信される時間軸上の無線リソース（例えば、ＤＦＮ（ＤＦＮ）及びサブフレーム番号で特定される無線リソース）と、データが送信される無線リソース（例えば、ＤＦＮ（ＤＦＮ）及びサブフレーム番号で特定される無線リソース）とを１対１に紐付けることで、ＳＣＩに含まれる時間軸上の無線リソースに関する情報（例えば、Ｔ−ＲＰＴ）が省略されたＳＣＩフォーマットを新たに規定するようにしてもよい。
【００３８】
また、ＳＣＩが送信されるサブフレームからデータが送信されるサブフレームまでのサブフレーム数（タイムライン）を予め定めておき、ＳＣＩに含まれる時間軸上の無線リソースに関する情報（例えば、Ｔ−ＲＰＴ）が省略されたＳＣＩフォーマットを新たに規定するようにしてもよい。当該サブフレーム数（タイムライン）は、基地局ｅＮＢからＲＲＣ信号、報知情報（ＳＩＢ）、レイヤ１又はレイヤ２の制御信号を介してユーザ装置ＵＥに通知されるようにしてもよいし、又は、基地局ｅＮＢに該当するＲＳＵから通知されるようにしてもよい。また、ＳＩＭ（Subscriber Identity Module）に予め設定されていてもよいし、コアネットワークから送信される上位レイヤの制御信号を介して通知されるようにしてもよい。
【００３９】
また、前述した図８Ａ及びＢの無線フレーム構成により送信されるＳＣＩとデータとを１対１に対応づけるようにしてもよい。具体的には、ＳＣＩが送信される無線リソースと、データが送信される無線リソースとを１対１に対応づけるようにして、ＳＣＩに含まれる制御情報のうち時間軸上の無線リソースに関する情報（例えば、Ｔ−ＲＰＴ）が省略されたＳＣＩフォーマットを新たに規定するようにしてもよい。例えば、送信側のユーザ装置ＵＥａは、図８Ａ又は図８Ｂに図示される位置（無線リソース）のＳＣＩには、図８Ａ又は図８Ｂに図示される位置のデータに対する制御情報（ＭＣＳ（Modulation and Cording Scheme））等）を含めておき、受信側のユーザ装置ＵＥｂは、図８Ａ又は図８Ｂに図示される位置のＳＣＩを取得した場合は、当該ＳＣＩに含まれる制御情報を用いて、図８Ａ又は図８Ｂに図示される位置のデータを復号するようにしてもよい。
【００４０】
また、他の例として、図８Ａ又は図８Ｂに図示される位置のＳＣＩには、データが送信される無線リソースの周波数領域（Ａ〜Ｂ）のうち、Ｂの周波数（又はＢのサブキャリア位置を特定する情報）のみを格納するようにしておき、Ａの周波数（サブキャリア）はＳＣＩが受信された周波数領域の一方（すなわちＡの位置）と同一の周波数であることが暗示的に示されるようにしてもよい。
【００４１】
また、ユーザ装置ＵＥは、Ｄ２Ｄ信号を送信する際にＬＢＴ（Listen Before Talk）を行うことが考えられる。ＬＢＴとは、信号を通信路に送信する前に通信路が空いているかを確認（キャリアセンス）してから送信を行うことで、複数の送信局から送信される信号の衝突を防ぐためのメカニズムである。ＬＢＴが行われる場合、送信側のユーザ装置ＵＥａは、他のユーザ装置ＵＥがデータの送信を開始してしまう前にデータの送信を完了させるために、例えば連続したサブフレームでまとめてデータを送信するというような動作を行うことが想定される。そこで、ＳＣＩに含まれる制御情報のうちＴ−ＲＰＴに代えて、データの送信区間を指定する情報（例えば、データの送信が開始されるサブフレーム及び送信が終了するサブフレーム）含むＳＣＩフォーマットを新たに規定するようにしてもよい。また、ＳＣＩに、Ｔ−ＲＰＴが設定されているのか、又はデータの送信区間を指定する情報が設定されているのかを示すフラグが含まれるようにしてもよい。
【００４２】
また、実施の形態では、ＳＣＩが送信される周波数軸上の無線リソース（リソースエレメント又はサブキャリアの位置等）と、データが送信される周波数軸上の無線リソース（リソースエレメント又はサブキャリアの位置等）とを１対１に対応づけることで、ＳＣＩに含まれる周波数上の無線リソースに関する情報（例えば、Frequency hopping flag、Resource block assignment and hopping resource allocationの全部又は一部）のデータサイズが削減されたＳＣＩフォーマットを新たに規定するようにしてもよい。
【００４３】
また、実施の形態では、ユーザ装置ＵＥは、データをＰＳＳＣＨのリソースプールにおける全ての帯域を用いて送信するようにして、ＳＣＩに含まれる周波数上の無線リソースに関する情報のデータサイズが削減されたＳＣＩフォーマットを新たに規定するようにしてもよい。また、周波数帯域に設定されているサブバンドの帯域幅を拡大したり、データの送信帯域幅を固定化することで、ＳＣＩに含まれる周波数上の無線リソースに関する情報のデータサイズが削減されたＳＣＩフォーマットを新たに規定するようにしてもよい。
【００４４】
また、実施の形態では、ＳＣＩを送信する際に付与されるＣＲＣのビット数を削減（例えば８ビット等）するようにしてもよい。以上、ＳＣＩのデータサイズを削減するための新たなＳＣＩフォーマットを複数説明したが、これらの新たなＳＣＩフォーマットはそれぞれ組み合わされても良い。
【００４５】
（複数のＳＣＩフォーマットの検出について）
本実施の形態で説明したＳＣＩフォーマットが新たに規定される場合、受信側のユーザ装置ＵＥｂは、ＳＣＩを受信する際に、従来のＤ２Ｄで規定されているＳＣＩフォーマット（SCI format 0）なのか、本実施の形態における新たなＳＣＩフォーマットなのかを識別する必要がある。受信側のユーザ装置ＵＥｂは、各ＳＣＩフォーマットでブラインド検出を試みることで、どの種別のＳＣＩフォーマットでＳＣＩが送信されているのかを認識するようにしてもよい。
【００４６】
ここで、受信側のユーザ装置ＵＥｂがＳＣＩフォーマットの種別をブラインド検出する場合、ユーザ装置ＵＥの処理負荷の増大が懸念される。そこで、本実施の形態では、ＰＳＣＣＨに割当てられている無線リソース（特定のリソースプール又は特定のサーチスペース等）の範囲に応じて、従来のＤ２Ｄで規定されているＳＣＩフォーマットを用いるのか、又は、新たなＳＣＩフォーマットを用いるのかを切替えるようにしてもよい。具体的には、送信側のユーザ装置ＵＥａは、従来のＳＣＩフォーマットを用いるように規定されている無線リソースの範囲でＳＣＩを送信する場合、従来のＤ２Ｄで規定されているＳＣＩフォーマットでＳＣＩを送信し、新たなＳＣＩフォーマットを用いるように規定されている無線リソースの範囲でＳＣＩを送信する場合、新たなＳＣＩフォーマットでＳＣＩを送信するようにする。同様に、受信側のユーザ装置ＵＥｂは、従来のＳＣＩフォーマットを用いるように規定されている無線リソースの範囲でＳＣＩを受信する場合、従来のＤ２Ｄで規定されているＳＣＩフォーマットであると判断してＳＣＩを復号し、新たなＳＣＩフォーマットを用いるように規定されている無線リソースの範囲でＳＣＩを受信する場合、新たなＳＣＩフォーマットであると判断してＳＣＩを復号するようにする。
【００４７】
また、他の方法として、本実施の形態では、従来のＤ２Ｄで規定されているＳＣＩフォーマットと新たなＳＣＩフォーマットとが同一のデータサイズになるようにしておき、従来のＤ２Ｄで規定されているＳＣＩフォーマットのうち未使用の値を用いてＳＣＩフォーマットの種類を識別可能にしてもよい。具体的には、ＭＣＳが６４ＱＡＭである場合の設定値などを利用してＳＣＩフォーマットの種別を識別可能にしてもよい。
【００４８】
また、他の方法として、本実施の形態では、従来のＤ２Ｄで規定されているＳＣＩフォーマットと新たなＳＣＩフォーマットとが同一のデータサイズになるようにしておき、ＳＣＩフォーマットに応じてＣＲＣのビットマスクを変更することで、ＳＣＩフォーマットの種別を識別可能にしてもよい。
【００４９】
＜＜ブラインド検出可能なデータについて＞＞
以上説明したように、受信側のユーザ装置ＵＥｂは、ＳＣＩに含まれる制御情報からＰＳＳＣＨのリソースプール上でデータがマッピングされている無線リソースを認識し、データを復号していた。すなわち、受信側のユーザ装置ＵＥｂは、データを受信するためには当該データに対応するＳＣＩを受信する必要があった。
【００５０】
Ｖ２Ｘでは、ユーザ装置ＵＥは、例えば衝突事故を回避するために用いられるような緊急性の高いデータを送信することが想定される。このような緊急性の高いデータをより低遅延で送受信可能にするために、本実施の形態では、ＰＳＣＣＨ又は／及びＰＳＳＣＨのリソースプール上に、固定長のペイロードサイズのデータを送信可能な無線リソースを予め確保（予約）しておき、受信側のユーザ装置ＵＥは、当該無線リソースをモニタするようにする。なお、以下の説明において、固定長のペイロードサイズのデータの送受信に用いられる予め確保された無線リソースを、「仮想リソースプール」と呼ぶ。
【００５１】
図１０Ａ及びＢは、仮想リソースプールの一例を示す図である。図１０Ａは、図４に示す無線フレーム構成を有するＰＳＳＣＨ及びＰＳＳＣＨのリソースプール上に、仮想リソースプールを確保した場合の一例を示しており、図１０Ｂは、図７Ａ及びＢに示す無線フレーム構成を有するＰＳＳＣＨ及びＰＳＳＣＨのリソースプール上に、仮想リソースプールを確保した場合の一例を示している。なお、図１０Ａ及びＢに示す仮想リソースプールの位置はあくまで一例であり、他の位置に仮想リソースプールが確保されるようにしてもよい。
【００５２】
仮想リソースプールで送受信される緊急性の高いメッセージに適用されるＭＣＳ、ＴＡ値及びリソースサイズには、予め規定された固定値が適用されるようにする。これにより、受信側のユーザ装置ＵＥは、ＳＣＩを受信しなくても緊急性の高いデータの復号が可能になる。
【００５３】
なお、仮想リソースプールでは、緊急性の高いデータ以外の送信が禁止されていてもよい。また、仮想リソースプールで複数のユーザ装置ＵＥから緊急性の高いデータが送信されることによる混雑を防止するため、ユーザ装置ＵＥごとに、仮想リソースプールの占有率又は／及び送信時間比率等が指定されてもよい。また、仮想リソースプールでデータを送信可能なユーザ装置ＵＥの種別（ＵＥカテゴリ等）が予め規定されていてもよい。また、仮想リソースプールごとに、送信可能なデータの種別が予め規定されていてもよい。
【００５４】
また、仮想リソースプールの位置を示す情報は、基地局ｅＮＢからＲＲＣ信号、報知情報（ＳＩＢ）、レイヤ１又はレイヤ２の制御信号を介してユーザ装置ＵＥに通知されるようにしてもよいし、又は、基地局ｅＮＢに該当するＲＳＵから通知されるようにしてもよい。また、ＳＩＭ（Subscriber Identity Module）に予め設定されていてもよいし、コアネットワークから送信される上位レイヤの制御信号を介して通知されるようにしてもよい。
【００５５】
＜＜機能構成＞＞
以上説明した実施の形態の動作を実行するユーザ装置ＵＥの機能構成例を説明する。
【００５６】
図１１は、実施の形態に係るユーザ装置の機能構成の一例を示す図である。図１１に示すように、ユーザ装置ＵＥは、信号送信部１０１と、信号受信部１０２とを有する。なお、図１１は、ユーザ装置ＵＥにおいて本発明の実施の形態に特に関連する機能部のみを示すものであり、少なくともＬＴＥに準拠した動作を行うための図示しない機能も有するものである。また、図１１に示す機能構成は一例に過ぎない。本実施の形態に係る動作を実行できるのであれば、機能区分及び機能部の名称はどのようなものでもよい。
【００５７】
信号送信部１０１は、ユーザ装置ＵＥから送信されるべき上位のレイヤの信号から、物理レイヤの各種信号を生成し、無線送信する機能を含む。また、信号送信部１０１は、Ｄ２Ｄ信号（ＳＣＩ、ＭＡＣ  ＰＤＵ等）の送信機能とセルラー通信の送信機能を有する。
【００５８】
また、信号送信部１０１は、ＰＳＣＣＨとＰＳＳＣＨとが周波数多重された無線フレーム構成におけるＰＳＳＣＨを用いてＳＣＩを送信し、ＰＳＣＣＨとＰＳＳＣＨとが周波数領域で多重された無線フレーム構成におけるＰＳＳＣＨを用いて、ＳＣＩに対応するデータを送信するようにしてもよい。更に、信号送信部１０１は、ＳＣＩが送信されたサブフレームに対応する予め定められたサブフレームで、当該データを送信するようにしてもよい。
【００５９】
また、信号送信部１０１は、ＰＳＣＣＨとＰＳＳＣＨとが順に時間多重されたサブフレームにおけるＰＳＣＣＨを用いてＳＣＩを送信し、当該サブフレームにおけるＰＳＳＣＨ又は当該サブフレームとは異なるサブフレームにおけるＰＳＳＣＨを用いてＳＣＩに対応するデータを送信するようにしてもよい。更に、信号送信部１０１は、ＰＳＣＣＨに該当する連続した複数のシンボルのうち、中心のシンボルに参照信号（ＤＭ−ＲＳ）をマッピングし、当該連続した複数のシンボルのうち参照信号がマッピングされたシンボル以外のシンボルにＳＣＩをマッピングして送信するようにしてもよい。
【００６０】
また、信号送信部１０１は、ＰＳＣＣＨ又はＰＳＳＣＨに割当てられている無線リソースのうち、データ長が予め定められた優先度の高いデータの送信に用いられる特定の無線リソースを用いてデータを送信するようにしてもよい。
【００６１】
また、信号送信部１０１は、ＳＣＩが送信されたサブキャリアに対応づけられるサブキャリアでデータを送信するようにしてもよい。
【００６２】
また、信号送信部１０１は、ＰＳＣＣＨに割当てられている無線リソースの範囲に応じて、従来のＳＣＩフォーマットを用いてＳＣＩを送信するのか、又は本実施の形態における新たなＳＣＩフォーマットを用いてＳＣＩを送信するのかを判断するようにしてもよい。
【００６３】
なお、信号送信部１０１は、ＰＳＣＣＨでＳＣＩを送信する第一の送信部とＰＳＳＣＨでデータを送信する第二の送信部とを有してもよい。
【００６４】
信号受信部１０２は、他のユーザ装置ＵＥ又は基地局ｅＮＢから各種の信号を無線受信し、受信した物理レイヤの信号からより上位のレイヤの信号を取得する機能を含む。また、信号受信部１０２は、Ｄ２Ｄ信号（ＳＣＩ、ＭＡＣ  ＰＤＵ等）の受信機能とセルラー通信の受信機能を有する。
【００６５】
また、信号受信部１０２は、ＰＳＣＣＨとＰＳＳＣＨとが周波数多重された無線フレーム構成におけるＰＳＳＣＨを用いてＳＣＩを受信し、ＰＳＣＣＨとＰＳＳＣＨとが周波数領域で多重された無線フレーム構成におけるＰＳＳＣＨを用いて、ＳＣＩに対応するデータを受信するようにしてもよい。更に、信号受信部１０２は、ＳＣＩが送信されたサブフレームに対応する予め定められたサブフレームで、当該データを受信するようにしてもよい。
【００６６】
また、信号受信部１０２は、ＰＳＣＣＨとＰＳＳＣＨとが順に時間多重されたサブフレームにおけるＰＳＣＣＨを用いてＳＣＩを受信し、当該サブフレームにおけるＰＳＳＣＨ又は当該サブフレームとは異なるサブフレームにおけるＰＳＳＣＨを用いてＳＣＩに対応するデータを受信するようにしてもよい。更に、信号受信部１０２は、ＰＳＣＣＨに該当する連続した複数のシンボルのうち、中心のシンボルにマッピングされた参照信号（ＤＭ−ＲＳ）を用いて、ＳＣＩを復号する際のチャネル推定を行うようにしてもよい。
【００６７】
また、信号受信部１０２は、ＰＳＣＣＨ又はＰＳＳＣＨに割当てられている無線リソースのうち、データ長が予め定められた優先度の高いデータの送信に用いられる特定の無線リソースをモニタリングし、予め固定値として定められたＭＣＳ、ＴＡ値及びリソースサイズに基づきデータを取得するようにしてもよい。
【００６８】
また、信号受信部１０２は、ＳＣＩを受信したサブキャリアに対応づけられるサブキャリアでデータを受信するようにしてもよい。
【００６９】
また、信号受信部１０２は、ＰＳＣＣＨに割当てられている無線リソースの範囲に応じて、受信したＳＣＩには従来のＳＣＩフォーマットが用いられているのか、又は本実施の形態における新たなＳＣＩフォーマットが用いられているのかを判断するようにしてもよい。なお、信号受信部１０２は、ＰＳＣＣＨでＳＣＩを受信する第一の受信部とＰＳＳＣＨでデータを受信する第二の受信部とを有してもよい。
【００７０】
＜ハードウェア構成＞
実施の形態の説明に用いたブロック図（図１１）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００７１】
例えば、本発明の一実施の形態におけるユーザ装置ＵＥは、本発明の信号送信方法の処理を行うコンピュータとして機能してもよい。図１２は、実施の形態に係るユーザ装置ＵＥのハードウェア構成の一例を示す図である。上述のユーザ装置ＵＥは、物理的には、プロセッサ１００１、メモリ１００２、ストレージ１００３、通信装置１００４、入力装置１００５、出力装置１００６、バス１００７などを含むコンピュータ装置として構成されてもよい。
【００７２】
なお、以下の説明では、「装置」という文言は、回路、デバイス、ユニットなどに読み替えることができる。ユーザ装置ＵＥのハードウェア構成は、図に示した各装置を１つ又は複数含むように構成されてもよいし、一部の装置を含まずに構成されてもよい。
【００７３】
ユーザ装置ＵＥにおける各機能は、プロセッサ１００１、メモリ１００２などのハードウェア上に所定のソフトウェア（プログラム）を読み込ませることで、プロセッサ１００１が演算を行い、通信装置１００４による通信、メモリ１００２及びストレージ１００３におけるデータの読み出し及び／又は書き込みを制御することで実現される。
【００７４】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、ユーザ装置ＵＥの信号送信部１０１と、信号受信部１０２とは、プロセッサ１００１で実現されてもよい。
【００７５】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、ユーザ装置ＵＥの信号送信部１０１と、信号受信部１０２とは、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００７６】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る信号送信方法を実施するために実行可能なプログラム（プログラムコード）、ソフトウェアモジュールなどを保存することができる。
【００７７】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００７８】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、ユーザ装置ＵＥの信号送信部１０１と、信号受信部１０２とは、通信装置１００４で実現されてもよい。
【００７９】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００８０】
また、プロセッサ１００１及びメモリ１００２などの各装置は、情報を通信するためのバス１００７で接続される。バス１００７は、単一のバスで構成されてもよいし、装置間で異なるバスで構成されてもよい。
【００８１】
また、ユーザ装置ＵＥは、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００８２】
＜まとめ＞
以上、実施の形態によれば、Ｄ２Ｄ通信をサポートする無線通信システムにおけるユーザ装置であって、Ｄ２Ｄ用物理制御チャネルとＤ２Ｄ用物理データチャネルとが周波数多重された無線フレーム構成におけるＤ２Ｄ用物理制御チャネルを用いて、Ｄ２Ｄ用制御情報を送信する第一の送信部と、Ｄ２Ｄ用物理制御チャネルとＤ２Ｄ用物理データチャネルとが周波数領域で多重された無線フレーム構成におけるＤ２Ｄ用物理データチャネルを用いて、前記Ｄ２Ｄ用制御情報に対応するデータを送信する第二の送信部と、を有するユーザ装置が提供される。このユーザ装置ＵＥにより、Ｄ２Ｄ通信において、スモールパケットを効率的かつ低遅延に送受信可能な技術が提供される。
【００８３】
また、前記第二の送信部は、前記Ｄ２Ｄ用制御情報が送信されたサブフレームに対応する予め定められたサブフレームで前記データを送信するようにしてもよい。これにより、ＳＣＩから時間軸に関する情報を削減することができ、ユーザ装置ＵＥは、低遅延な無線フレーム構成が用いられる場合であっても効率的にＳＣＩを送受信することができる。
【００８４】
また、実施の形態によれば、Ｄ２Ｄ通信をサポートする無線通信システムにおけるユーザ装置であって、Ｄ２Ｄ用物理制御チャネルとＤ２Ｄ用物理データチャネルとが順に時間多重されたサブフレームにおけるＤ２Ｄ用物理制御チャネルを用いて、Ｄ２Ｄ用制御情報を送信する第一の送信部と、前記サブフレームにおけるＤ２Ｄ用物理データチャネル又は前記サブフレームとは異なるサブフレームにおけるＤ２Ｄ用物理データチャネルを用いて、前記Ｄ２Ｄ用制御情報に対応するデータを送信する第二の送信部と、を有するユーザ装置が提供される。このユーザ装置ＵＥにより、Ｄ２Ｄ通信において、スモールパケットを効率的かつ低遅延に送受信可能な技術が提供される。
【００８５】
また、前記第一の送信部は、Ｄ２Ｄ用物理制御チャネルに該当する連続した複数のシンボルのうち、中心のシンボルに参照信号をマッピングし、前記連続した複数のシンボルのうち参照信号がマッピングされたシンボル以外のシンボルに前記Ｄ２Ｄ用制御情報をマッピングして送信するようにしてもよい。これにより、受信側のユーザ装置ＵＥでＳＣＩを復号する場合に行われるチャネル推定精度を改善することが可能になる。
【００８６】
また、前記第二の送信部は、Ｄ２Ｄ用物理制御チャネル又はＤ２Ｄ用物理データチャネルに割当てられている無線リソースのうち、データ長が予め定められた優先度の高いデータの送信に用いられる特定の無線リソースを用いてデータを送信するようにしてもよい。これにより、受信側のユーザ装置ＵＥは、ＳＣＩを受信しなくても緊急性の高いデータの復号が可能になる。
【００８７】
また、前記Ｄ２Ｄ用制御情報は、Ｄ２Ｄ用物理データチャネルに割当てられている無線リソースにおいて前記データがマッピングされているサブフレーム区間を指定する情報を含むようにしてもよい。これにより、比較的長い間隔及びイベントトリガによりデータが送信される場合に適した無線リソースの割当てを行う場合に、無駄に無線リソースが割当られてしまうことを防止することができる。
【００８８】
また、前記第二の送信部は、前記Ｄ２Ｄ用制御情報が送信されたサブキャリアに対応づけられるサブキャリアで前記データを送信するようにしてもよい。これにより、ＳＣＩから周波数軸に関する情報を削減することができ、ユーザ装置ＵＥは、低遅延な無線フレーム構成が用いられる場合であっても効率的にＳＣＩを送受信することができる。
【００８９】
また、前記第一の送信部は、Ｄ２Ｄ用物理制御チャネルに割当てられている無線リソースの範囲に応じて、第一のＤ２Ｄ用制御情報フォーマットを用いて前記Ｄ２Ｄ用制御情報を送信するのか、又は前記第一のＤ２Ｄ用制御情報フォーマットとは異なる第二のＤ２Ｄ用制御情報フォーマットを用いて前記Ｄ２Ｄ用制御情報を送信するのかを判断するようにしてもよい。これにより、受信側のユーザ装置ＵＥがＳＣＩをブラインド検出する際の処理負荷を軽減させることができる。
【００９０】
また、実施の形態によれば、Ｄ２Ｄ通信をサポートする無線通信システムにおけるユーザ装置が行う信号送信方法であって、Ｄ２Ｄ用物理制御チャネルとＤ２Ｄ用物理データチャネルとが周波数多重された無線フレーム構成におけるＤ２Ｄ用物理制御チャネルを用いて、Ｄ２Ｄ用制御情報を送信するステップと、Ｄ２Ｄ用物理制御チャネルとＤ２Ｄ用物理データチャネルとが周波数領域で多重された無線フレーム構成におけるＤ２Ｄ用物理データチャネルを用いて、前記Ｄ２Ｄ用制御情報に対応するデータを送信するステップと、を有する信号送信方法が提供される。この信号送信方法により、Ｄ２Ｄ通信において、スモールパケットを効率的かつ低遅延に送受信可能な技術が提供される。
【００９１】
また、実施の形態によれば、Ｄ２Ｄ通信をサポートする無線通信システムにおけるユーザ装置が行う信号送信方法であって、Ｄ２Ｄ用物理制御チャネルとＤ２Ｄ用物理データチャネルとが順に時間多重されたサブフレームにおけるＤ２Ｄ用物理制御チャネルを用いて、Ｄ２Ｄ用制御情報を送信するステップと、前記サブフレームにおけるＤ２Ｄ用物理データチャネル又は前記サブフレームとは異なるサブフレームにおけるＤ２Ｄ用物理データチャネルを用いて、前記Ｄ２Ｄ用制御情報に対応するデータを送信するステップと、を有する信号送信方法が提供される。この信号送信方法により、Ｄ２Ｄ通信において、スモールパケットを効率的かつ低遅延に送受信可能な技術が提供される。
【００９２】
＜実施形態の補足＞
実施の形態におけるＰＳＣＣＨは、Ｄ２Ｄ通信に用いられる制御情報（ＳＣＩ等）を送信するための制御チャネルであれば他の制御チャネルであってもよい。また、ＰＳＳＣＨは、Ｄ２Ｄ通信に用いられるデータ（ＭＡＣ  ＰＤＵ等）を送信するためのデータチャネルであれば他のデータチャネルであってもよい。また、ＰＳＤＣＨは、Ｄ２ＤディスカバリのＤ２Ｄ通信に用いられるデータ（ディスカバリメッセージ等）を送信するためのデータチャネルであれば他のデータチャネルであってもよい。
【００９３】
Ｄ２Ｄ信号、ＲＲＣ信号及び制御信号は、それぞれＤ２Ｄメッセージ、ＲＲＣメッセージ及び制御メッセージであってもよい。
【００９４】
方法の請求項は、サンプル的順序で様々なステップの要素を提示しており、請求項の中で明記していない限り、提示した特定の順序に限定されない。
【００９５】
以上、本発明の実施の形態は、ＬＴＥ、ＬＴＥ−Ａ、ＣＤＭＡ２０００、ＵＭＢ（Ultra Mobile Broadband）、ＩＥＥＥ８０２．１１(Wi-Fi（登録商標）)、ＩＥＥＥ８０２．１６(WiMAX（登録商標）)、ＩＥＥＥ８０２．２０、ＵＷＢ（Ultra-Wideband）、Ｂｌｕｅｔｏｏｔｈ（登録商標）および/または他の適切なシステムを利用するシステムに拡張され得る。
【００９６】
以上、本発明の実施の形態で説明する各装置（ユーザ装置ＵＥ）の構成は、ＣＰＵとメモリを備える当該装置において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００９７】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。処理説明の便宜上、ユーザ装置ＵＥは機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００９８】
なお、実施の形態において、ＳＣＩはＤ２Ｄ用制御情報の一例である。ＰＳＣＣＨは、Ｄ２Ｄ用物理制御チャネルの一例である。ＰＳＳＣＨは、Ｄ２Ｄ用物理データチャネルの一例である。仮想リソースプールは、データ長が予め定められた優先度の高いデータの送信に用いられる特定の無線リソースの一例である。ＭＡＣ  ＰＤＵはデータの一例である。ＳＣＩフォーマット（SCI format 0）は、第一のＤ２Ｄ用制御情報フォーマットの一例である。本実施の形態における新たなＳＣＩフォーマットは、第二のＤ２Ｄ用制御情報フォーマットの一例である。
【００９９】
本特許出願は２０１５年８月１３日に出願した日本国特許出願第２０１５−１５９９９４号に基づきその優先権を主張するものであり、日本国特許出願第２０１５−１５９９９４号の全内容を本願に援用する。
【符号の説明】
【０１００】
ＵＥ  ユーザ装置
ｅＮＢ  基地局
１０１  信号送信部
１０２  信号受信部
１００１  プロセッサ
１００２  メモリ
１００３  ストレージ
１００４  通信装置
１００５  入力装置
１００６  出力装置
【図１】
2017026511.tif 000003
【図２】
2017026511.tif 000004
【図３】
2017026511.tif 000005
【図４】
2017026511.tif 000006
【図５Ａ】
2017026511.tif 000007
【図５Ｂ】
2017026511.tif 000008
【図６】
2017026511.tif 000009
【図７Ａ】
2017026511.tif 000010
【図７Ｂ】
2017026511.tif 000011
【図８Ａ】
2017026511.tif 000012
【図８Ｂ】
2017026511.tif 000013
【図９】
2017026511.tif 000014
【図１０Ａ】
2017026511.tif 000015
【図１０Ｂ】
2017026511.tif 000016
【図１１】
2017026511.tif 000017
【図１２】
2017026511.tif 000018
【国際調査報告】
2017026511.tif 000019
2017026511.tif 000020